(57)【要約】      （修正有）【課題】管状構造体中に収容される物品を確実に保持するために強度が向上可能なカートン及びカートン形成用カートンブランクであって、機械を使用しての組み立てに対する適性が向上可能なカートン及びカートン形成用カートンブランクを提供する。【解決手段】カートンを形成するブランク１は、組み上げられるとカートン中の物品を確実に保持するものであり、且つ、機械を使用しての組み立てに適する。ブランク１は、互いに一列に接続された複数の壁部パネル２を含む。ブランク１の頂壁２Ａは、Ｖ字型の切断線２９Ａ、２９Ｂの形態の開口部機構を含む。【選択図】図１
0003201108.tif 000002
【実用新案登録請求の範囲】
【請求項１】
カートンブランクであって、
開放端を有する管状構造体であって、頂壁、側壁の対、及び底壁を備える管状構造体を形成するように、一列に配置され且つ互いに接続された壁部パネルと；
前記頂壁と前記側壁の対のうちの第１側壁との間に形成された折目線と；
前記折目線に近接して配置された開封タブと；
前記開封タブから、前記ブランクからカートンが組み上げられた際の前記管状構造体の両端のうちの第１端に位置する外側終端部まで延在する第１切断線と；
前記開封タブから、前記ブランクからカートンが組み上げられた際の前記管状構造体の両端のうちの第２端に位置する外側終端部まで延在する第２切断線と、
を備えるカートンブランク。
【請求項２】
前記管状構造体に収容される少なくとも一つの物品を保持する少なくとも一つの保持構造を形成するための少なくとも一つのセクションを更に備え、
前記第１切断線及び前記第２切断線の前記外側終端部が、前記少なくとも一つの保持構造を形成するための前記セクションと離間していることを特徴とする、請求項１に記載のカートンブランク。
【請求項３】
前記第１切断線及び前記第２切断線が、全体でＶ字型切断線を形成していることを特徴とする、請求項１に記載のカートンブランク。
【請求項４】
前記開封タブが、少なくとも部分的に前記頂壁に配置されていることを特徴とする、請求項１に記載のカートンブランク。
【請求項５】
前記開封タブが、少なくとも部分的に前記側壁の対のうちの前記第１側壁に配置されていることを特徴とする、請求項１に記載のカートンブランク。
【請求項６】
前記第１切断線及び前記第２切断線それぞれが、前記折目線に対して１０度から５０度までの角度をなして延在していることを特徴とする、請求項１に記載のカートンブランク。
【請求項７】
両側に開放端を有する管状構造体を形成するために互いに接続された複数のカートン壁部であって、頂壁、側壁の対、及び底壁を含むカートン壁部と、開口部機構と、を備えるカートンであって、
前記開口部機構が、
前記頂壁と前記側壁の一方との間の折目線に近接して配置された開封タブと、
前記開封タブから前記両端のうちの第１端に位置する外側終端部まで延在する第１切断線と、
前記開封タブから前記両端のうちの第２端に位置する外側終端部まで延在する第２切断線と、
を有することを特徴とするカートン。
【請求項８】
前記管状構造体に収容される少なくとも一つの物品を保持する少なくとも一つの物品保持構造体を更に備え、
前記第１切断線及び前記第２切断線の前記外側終端部が前記物品保持構造体と離間していることを特徴とする、請求項７に記載のカートン。
【請求項９】
前記第１切断線及び前記第２切断線が、全体でＶ字型切断線を形成していることを特徴とする、請求項７に記載のカートン。
【請求項１０】
前記開封タブが、少なくとも部分的に前記頂壁に配置されていることを特徴とする、請求項７に記載のカートン。
【請求項１１】
前記開封タブが、少なくとも部分的に前記側壁の対のうちの前記第１側壁に配置されていることを特徴とする、請求項７に記載のカートン。
【請求項１２】
前記第１切断線及び前記第２切断線それぞれが、前記折目線に対して１０度から５０度までの角度をなして延在していることを特徴とする、請求項７に記載のカートン。
【考案の詳細な説明】
【技術分野】
【０００１】
本考案は、管状構造を有し、当該管状構造中に物品を収容することができるカートン及び当該カートンを形成するためのカートンブランクに関する。
【０００２】
従来、カートンは、様々な物品の保管及び運送を容易にするために使用されてきた。従来のカートンのうち、管状の開放端構造を有するラップアラウンド式カートンでは、略円筒形の缶といった複数の物品をまとめて収容するための内部空間が画定される。
【０００３】
管状構造を有する通常の従来型カートンは、日本国特許出願公開第２００３−０３４３５４号公報（特許文献１）の図１及び図３に示されている。特許文献１において開示されたカートンは、頂壁、側壁の対、及び底壁を有する。管状構造体の両側の開放端には、当該管状構造体中に物品を保持するための物品保持手段が設けられている。当該物品保持手段は、頂壁の端縁に接続されたトップカバーパネルと、折目線を介してトップカバーパネルに接続された第１サイドカバーパネルと、折目線を介して第１サイドカバーパネルに接続された第２サイドカバーパネルと、各側壁の端縁に接続され、且つ折目線を介して第２サイドカバーパネルに接続された折り返しパネルと、を含む。トップカバーパネルと第１サイドカバーパネルとの間の折目線及び第１サイドカバーパネルと第２サイドカバーパネルとの間の折目線の両方を山折りで折り曲げ、第２サイドカバーパネルと折り返しパネルとの間の折目線を谷折りで折り曲げ、折り返しパネルを内側へ折り曲げることにより、物品保持手段は、管状構造体の各開口部に面する、端の物品一つ以上の上端をカバーし、これにより当該管状構造体中に物品を保持する。
【０００４】
しかしながら、上述のカートンによると、第２サイドカバーパネルに外力又は梱包された物品の荷重が加わると、折り返しパネルが管状構造体から滑り出てしまうおそれがある、というリスクがある。このように折り返しパネルが滑り出てしまうと、物品保持手段はもはや管状構造体中に物品を保持することができない。
【０００５】
上述の問題に対する一つの解決策としては、管状構造体中の物品に押し付けられる折り返しパネルの表面積が相当程度増加するように、折り返しパネルのサイズを相当程度増加させることが挙げられる。しかしながら、このような手法は、大量の板紙材料を使用する必要があり、製品の価格が大幅に上がることになる。
【０００６】
カートンを容易に開けられるようにするために、カートンでは様々な開口部機構が利用されている。Ｆｕｎｋｈｏｕｓｅｒの米国特許第３６６９３４２号明細書（特許文献２）において、図１及び図２に開口部機構が示されている。当該開口部機構は、カートンの側面に沿って逆Ｖ字形状に配置された切断線（ｓｅｖｅｒａｎｃｅ  ｌｉｎｅｓ）を含む。しかしながら、カートンの側面上に切断線が配置されていると、当該カートンが外側梱包容器や冷却器等の３次包装中に収容されている場合に、カートンを開くのが困難になる。
【先行技術文献】
【特許文献】
【０００７】
【特許文献１】特開第２００３−０３４３５４号公報
【特許文献２】米国特許第３６６９３４２号明細書
【考案の概要】
【考案が解決しようとする課題】
【０００８】
本考案により、管状構造体中に収容される物品を確実に保持するために強度が向上可能なカートンブランク及びカートンであって、機械を使用しての組み立てに対する適性が向上可能なカートンブランク及びカートンが提供される。当該カートンブランク及びカートンを用いると、Ｖ字型切断線を使用して、カートンを頂部から容易に開くことが可能になる。
【課題を解決するための手段】
【０００９】
本考案の当該カートンブランクは、管状構造体の頂壁、側壁、及び底壁を形成するための壁部パネルを備える。当該壁部パネルは、管状構造体を形成するように一列に配置される。当該管状構造体は、両側に開放端を有し、一つ以上の物品を収容するように設計されている。Ｖ字型切断線が頂壁に設けられている。
【００１０】
また、本考案により、両側に開放端を有する管状構造体を形成するために、互いに接続された頂壁、対向する側壁の対、及び底壁を備えるカートンが提供される。当該カートンは、一つ以上の物品を当該カートン中に収容するのに適している。Ｖ字型切断線が頂壁に設けられている。
【図面の簡単な説明】
【００１１】
【図１】本考案のカートンブランクの一実施形態を示す平面図である。
【図２】図１のカートンブランクから形成されたカートンを示す斜視図である。カートン中に梱包された物品を点線で示す。
【図３】図１のカートンブランクから形成されたカートンを示す斜視図である。カートン中の物品を実線で示す。
【考案を実施するための形態】
【００１２】
本考案の実施形態について、以下、図１及び図２を参照して説明する。
【００１３】
本明細書において、以下の実施形態では、説明には缶が用いられ、これらの缶は、各缶の全体形状が略円筒状であるように形成されたものである。各缶は、略円形の頂面と、略円形の底面と、頂面と底面との間に延在する略円筒形の側面と、を有する。
【００１４】
図１は、本考案の第１実施形態のカートンブランクを示す平面図であり、図２は、図１のカートンブランクから形成されたカートンを示す斜視図である。
【００１５】
図１に示すように、カートンブランク１は、カートンの頂壁２Ａ、対向する側壁の対２Ｂ及び２Ｃ、及び底壁２Ｄａ／２Ｄｂを形成するための壁部パネル２を有する。底壁２Ｄａ／２Ｄｂは、二つの底部パネル２Ｄａと２Ｄｂとを互いに固定することにより形成される。
【００１６】
壁部パネル２は、一列に配置される。側壁２Ｂは、折目線４７に沿って底部パネル２Ｄａにヒンジ式に接続されている。頂壁２Ａは、折目線５を介して側壁２Ｂにヒンジ式に接続されている。もう一方の側壁２Ｃは、折目線６を介して頂壁２Ａにヒンジ式に接続されている。もう一方の底部パネル２Ｄｂは、折目線４８に沿って他方の側壁２Ｃにヒンジ式に接続されている。カートンブランク１は、底部パネル２Ｄａ及び２Ｄｂが互いに固定されることにより底壁２Ｄａ／２Ｄｂが形成されると、図２に示すようなカートン９の管状構造体７が形成されるように適合されている。管状構造体７は、その両端にそれぞれ端部開口８を有する。複数の物品「Ｄ」が管状構造体７中に収容されることになる。図１のブランク及び図２のカートンにはそれぞれ、管状構造体７中で物品「Ｄ」を保持するための、四つの物品保持構造体又は四つの物品保持構造体形成用セクション１０が設けられている。物品保持構造体１０は、カートンの頂部、例えばカートンの上隅に配置することができるため、折目線５及び６の端部に配置することができる。下隅延長部１４は、図１のブランク及び図２のカートンに示すように、カートンの下隅に設けることができる。
【００１７】
図１を参照すると、各物品保持構造体形成用セクション１０は、頂壁２Ａ近傍の各側壁２Ｂ、２Ｃの各端に折目線１１を介してヒンジ式に接続された三角形の折り返しパネル１２を含む。折り返しパネル１２は、ブランク１からカートン９が組み上げられる際に、管状構造体７の内側へ折り曲げられる。各セクション１０はまた、折目線１３を介して折り返しパネル１２の側縁にヒンジ式に接続されている三角形のカバーパネル１５を含む。カバーパネル１５は、カートン９に物品Ｄが詰め込まれる際に、物品Ｄのうちの一つの上端の少なくとも一部をカバーする。折目線１６がカバーパネル１５に設けられている。折目線１６は、カバーパネル１５の自由縁部に達するように、カバーパネル１５全体にわたって延在する。端の物品Ｄの上面上でこれをカバーするカバー壁部１７は、頂壁２Ａと一体に形成され、頂壁２Ａの両端に配置される。四つのセクション１０のカバーパネル１５は、折目線１８を介してカバー壁部１７にヒンジ式に接続されている。
【００１８】
カバーパネル１５がヒンジ式に接続されている折り返しパネル１２の側縁には、折り返しパネル１２からカバーパネル１５へ突出しているタブ２１が設けられている。タブ２１がカバーパネル１５から打ち抜かれ、且つ折り返しパネル１２と一体に接合されるように、当該タブ２１は、カバーパネル１５に形成された略Ｃ字型又は略Ｕ字型のカット２０により画定される。Ｕ字型カット２０は、各セクション１０の自由縁部とも隣接する各側壁２Ｂ、２Ｃの端部とも離間した位置に配置されている。本実施形態では、タブ２１は、折り返しパネル１２とカバーパネル１５との間の境界（１３）に近接した位置に形成されている。折り返しパネル１２とカバーパネル１５との間の折目線１３に、当該カット２０が割り込んでいる。従って、折り返しパネル１２とカバーパネル１５との間の境界は、当該カット２０及び折目線１３により画定される。折り返しパネル１２は、タブ２１の外面が管状構造体７内部に配置された隣接する物品Ｄに面するように、タブ２１と共に管状構造体７の内側へ折り曲げられる。
【００１９】
カバーパネル１５は、端位置に配置されている隣接する物品Ｄ上端の一部をカバーするように、折目線１３に沿って谷折りで折り曲げられる。当該端位置では、管状構造体７の各端部開口８を通じて当該物品を視認することができる。
【００２０】
更に図１を参照すると、指受け開口部を画定するためのフィンガーフラップ２５の対が頂壁２Ａに画定されている。フラップ２５を折目線２６に関して内側に折り曲げることにより、指受け開口部が頂壁２Ａの中央部に形成される。フィンガーフラップ２５はそれぞれ、各折目線２６及び略Ｃ字型のカット２７により画定される。折目線２６は、Ｃ字型カット２７の両端の間に延在する。フィンガーフラップ２５は、頂壁２Ａの両側縁（５、６）に沿う方向に延在する仮想線に沿って、また折目線２６が互いに略平行となるように、並べて配置される。
【００２１】
更に図１を参照すると、切断線の対２９Ａ、２９Ｂが、それぞれ、頂壁２Ａの各端に位置する当該切断線の外側終端部から、頂壁２Ａの両端の間に配置された開封タブ（ｔｅａｒ  ｔａｂ）２９Ｃのところに位置する当該切断線の内側終端部まで延在している。切断線２９Ａ、２９Ｂは、略直線状のものであってもよく、その他の形状であってもよい。当該切断線は、ミシン目（ｐｅｒｆｏｒａｔｉｏｎｓ）、切取り用カット（ｔｅａｒ−ｄｉｒｅｃｔｉｎｇ  ｃｕｔｓ）、又は分離線、若しくは切断線を設けるのに一般的に使用されるような他の機構により形成することができる。
【００２２】
切断線２９Ａ、２９Ｂは、開封タブ２９Ｃと共に、頂壁２Ａの一端から反対側の端まで延在する、全体として「Ｖ」字型の単一の切断線２９を画定することができる。切断線２９Ａ、２９Ｂは、指受け開口部（部分的にＣ字型カット２７により形成されている）を使用する際に不注意で切断線を引き裂いてしまわないように、Ｃ字型カット２７から十分遠くに配置され得る。
【００２３】
切断線２９Ａ、２９Ｂの外側終端部は、好ましくは、これらの構造体の強度が低下しないように、物品保持構造体１０から十分に離間したものとすることができる。従って、例えば、開封タブ２９Ｃが折目線５に沿って配置されている場合、切断線２９Ａ、２９Ｂはそれぞれ、折目線５から離れる方向に角度２８Ａ、２８Ｂで延在することができる。角度２８Ａ、２８Ｂは同一であってもよく、異なっていてもよい。例えば、当該角度は、１０度、２０度、３０度、４０度、若しくは５０度、又はこれらの間の値とすることができる。切断線の外側終端部は、物品保持構造体１０から少なくとも多少は離れたところで、構造の端部と交差し得る。
【００２４】
図２に示すように、開封タブ２９Ｃは折目線５に沿って配置され得る。例えば、カートン９内の物品Ｄの配置に応じて、折目線５の端から出発して折目線５に沿って当該折目線５の約２０％、約２５％、約３３％、又は約５０％のところに配置することができる。開封タブ２９Ｃは、側壁２Ｂに形成されても、頂壁２Ａに形成されても、側壁２Ｂ及び頂壁２Ａの両方に形成されてもよい。タブ２９Ｃがどの壁部（複数可）に形成されるかに関わらず、物品が缶、ボトル、又はその他の略円筒形状のものであるときは、タブ２９Ｃは、二つの隣接する物品間の空間の上方の位置に配置することができる。切断線２９Ａ、２９Ｂの間には、持ち上げ可能パネル部３０が画定される。当該持ち上げ可能部３０には両フィンガーフラップ２５が含まれる。持ち上げ可能部３０は、開封タブ２９Ｃにより保持され、カートンの外側へ引き上げられ得る。この動作により、管状構造体７内の物品Ｄにアクセスできるように、持ち上げ可能部３０を十分に持ち上げることが可能になる。
【００２５】
Ｖ字状切断線２９の有益な点は、カートンが発送箱や冷却器等の３次包装中に配置されている場合であっても、頂部からカートンの内容物に容易にアクセスできることである。別の有益な点は、持ち上げ可能部３０が、引き外しが必要でそのためにゴミ又はクズとなるおそれのあるものではなく、例えば折目線６に沿って、管状構造体に取り付けられたままにすることができる点である。
【００２６】
複数のキノコ型係止タブ３１が、底部パネル２Ｄａに画定されている。各係止タブ３１は、折目線３３を介して底部パネル２Ｄａにヒンジ式に接続されている。略長方形の保持タブ３６が、もう一方の底部パネル２Ｄｂに画定されている。保持タブ３６は、係止開口部３５を画定する。係止タブ３１を係止開口部３５中へ折り曲げて、係止タブ３１を保持タブ３６により開口部３５内部に保持することにより、底部パネル２Ｄａ及び２Ｄｂが互いに結合され、その結果カートンの底壁２Ｄが形成される。その後、この底壁２Ｄが、カートンを図２に示すような組み上げられた状態の管状形態に保つことになる。
【００２７】
また、底部パネル２Ｄａ及び２Ｄｂを互いに固定するための底部パネル結合手段は、係止タブ３１及び保持タブ３６の組合せに限られるものではない。例えば、底部パネル２Ｄａ及び２Ｄｂは、のり又は他の任意の種類の接着剤により互いに固定されてもよい。底壁２Ｄは底部パネルの対２Ｄａ及び２Ｄｂにより形成されているが、底壁２Ｄを単一の一体型底部パネルにより形成してもよいことが容易に理解される。このような別の実施形態では、頂壁２Ａは、分離した頂部パネルの対により形成されてもよい。
【００２８】
更に図１を参照すると、側壁２Ｂは、折目線４５に沿って側壁２Ｂの残余部（ｒｅｍａｉｎｄｅｒ）にヒンジ式に接続されている傾斜パネル部３７を含む。傾斜パネル部３７は、折目線４７に沿って底部パネル２Ｄａの一の側縁に接続されている。側壁２Ｃは、折目線４６により側壁２Ｃの残余部にヒンジ式に接続されている傾斜パネル部３８を含む。傾斜パネル部３８は、もう一方の底部パネル２Ｄｂの一の側縁にヒンジ式に接続されている。従って、両側壁２Ｂ及び２Ｃは、それぞれ、傾斜パネル部３７及び３８を介して底部パネル２Ｄａ及び２Ｄｂに接続されている。
【００２９】
底部収容口３９は、傾斜パネル部３７、３８に形成され、側壁２Ｂ、２Ｃの各残余部へ延在する。これらの底部収容口３９は、カートン９に物品Ｄが詰め込まれる際に物品Ｄを受けるように設計される。ホールドタブ４１は、折目線４０を介して各底部パネル２Ｄａ又は２Ｄｂに接続されている。ホールドタブ４１は、カートン９中に収容される物品Ｄの底部と摩擦力により係合するように設計される。
【００３０】
以下、本実施形態のカートンブランク１から形成されたカートン９について説明する。
【００３１】
図２及び図３に示すように、本実施形態のカートン９は、飲料用缶等の物品Ｄが収容される管状構造体７を有する。
【００３２】
物品Ｄが詰め込まれた後、各セクション１０の折り返しパネル１２は、図２及び図３に示すように、それぞれの折目線１１に関して管状構造体７中へ折り曲げられる。このようにして、各カバーパネル１５は、端の物品Ｄそれぞれの上端に巻き付けられるように、その折目線１３、１６、及び１８に関して折り曲げられる。この状態で、各セクション１０から図２及び図３に示されるような物品保持構造体が組み上げられる。各物品保持構造体１０の折り返しパネル１２は、当該折り返しパネル１２の一部がカートン９中の隣接する端の物品Ｄと直接当接し得るように、管状構造体７の内側へ延在する。各物品保持構造体の折り返しパネル１２は、隣接する側壁２Ｂ、２Ｃの内面とも当接する。言い換えると、折り返しパネル１２及びカバーパネル１５の一部は、隣接する側壁２Ｂ、２Ｃと隣接する物品Ｄとの間に挟まれており、これにより、図２及び図３に示すように、これらのパネルが折り曲げられた状態に保持される。加えて、折り返しパネル１２から突出しているタブ２１も、折り返しパネル１２と共に管状構造体７の内側へ延在する。より具体的には、タブ２１は、カバーパネル１５から離れる方向に延在し、当該タブ２１の外面が隣接する物品Ｄに面するように配置される。従って、タブ２１もまた、隣接する側壁２Ｂ又は２Ｃと隣接する物品Ｄとの間に挟まれる。上述の組み上げられた状態においては、各物品保持構造体１０が管状構造体７中の端の物品Ｄそれぞれの上端を支持しているため、物品保持構造体１０すべてが全体として管状構造体７内部の物品Ｄすべてを保持することになる。
【００３３】
以下では、包装機械を使用してカートンブランク１からカートン９を形成する工程の一例について説明する。
【００３４】
まず物品Ｄが所定の配置、例えば２×３配置の物品群として配置される。ブランク１は、物品Ｄの上面が頂壁２Ａの内面に面するように、当該物品Ｄの群の上に被せられる。側壁２Ｂ、２Ｃが当該物品Ｄの群の両側に向かって折目線５及び６に関して折り曲げられるのとほぼ同時に、折り返しパネル１２の内面は、側壁２Ｂ及び２Ｃの内面と面接触するように配置される。このようにして、折り返しパネル１２の外面の一部が物品Ｄと直接当接することになる。カバーパネル１５及びタブ２１も、物品Ｄと当接させられる。側壁２Ｂ及び２Ｃが物品群の両側と平行な状態に至るまでに、各物品保持構造体の折り返しパネル１２、カバーパネル１５、及びタブ２１は、各物品と各側壁２Ｂ又は２Ｃとの間の位置に保持される。
【００３５】
次いで、底部パネル２Ｄａ及び２Ｄｂの内面が物品Ｄの下面と面接触するような配置となるように、底部パネル２Ｄａ、２Ｄｂが折目線４７、４８に関して折り曲げられる。それと同時に、物品Ｄの下端の一部を底部収容口３９が受ける。その後、係止タブ３１が、底部パネル２Ｄａ及び２Ｄｂを互いに固定するために、係止開口部３５に係合される。このようにして、図２及び図３に示すようなカートン９が組み立てられる。
【００３６】
本考案の範囲内で様々な変更が行われ得ることが理解できる。例えば、パネル及び開口部（ａｐｅｒｔｕｒｅ／ｏｐｅｎｉｎｇ）のサイズ及び形状は、様々なサイズ又は形状の物品を収容できるように調節され得る。
【００３７】
第１実施形態では、物品保持構造体１０はそれぞれ、各側壁２Ｂ又は２Ｃと頂壁２Ａとに跨る位置に設けられているが、本考案はこれに限定されるものではないことが理解されるべきである。例えば、各物品保持構造体は、各側壁２Ｂ又は２Ｃと底壁２Ｄとに跨る位置に設けられてもよい。あるいは、四つの物品保持構造体が管状構造体の各開放端に設けられてもよい。このような実施形態では、一の構造体１０を各側壁２Ｂ又は２Ｃと頂壁２Ａとに跨る位置に設けることができ、別の構造体１０を各側壁２Ｂ又は２Ｃと底壁２Ｄとに跨る位置に設けることができる。前述の実施形態における折り返しパネル１２は側壁２Ｂ及び２Ｃに接続されているが、折り返しパネルは別の壁部パネル２、例えば頂壁２Ａ及び／又は底壁２Ｄに接続されてもよいということが容易に理解される。
【００３８】
本明細書中で使用される場合、「頂部（ｔｏｐ）」、「底部（ｂｏｔｔｏｍ）」、「前方（ｆｒｏｎｔ）」、「後方（ｂａｃｋ）」、「端部（ｅｎｄ）」、「側部（ｓｉｄｅ）」、「内側の（ｉｎｎｅｒ）」、「外側の（ｏｕｔｅｒ）」、「上側の（ｕｐｐｅｒ）」及び「下側の（ｌｏｗｅｒ）」等の方向を示す記載は、各パネルをそのような向きに限定するものではなく、単にこれらのパネルを互いに区別するためだけに用いられているものであるということが認められるであろう。
【００３９】
本明細書中で使用される場合、「ヒンジ式に接続された」及び「折目線」との語は、ブランクの一部を互いに対して折り曲げるのを容易にするか、又は他の方法でブランクのパネル折り曲げの最適位置を示す、ブランクのヒンジ機構部を利用するあらゆる手法又はあらゆる種類の線を指す。折目線は、典型的にはスコア線、エンボス線、又はデボス線である。ヒンジ式接続又は折目線についての記載がある場合、必ずしもこれを単一の折目線のみを指しているものとして解するべきではない。実際、ヒンジ式接続は、ショートスリット、フランジブルライン（ｆｒａｎｇｉｂｌｅ  ｌｉｎｅ）、又は本考案の範囲を逸脱しない折目線のうち任意の一つ以上から形成することができると考えられる。
【００４０】
本明細書中で使用される場合、「切断線」との語は、基材の一部を互いに分離させることを容易にするか、又は最適な分離位置を示す、あらゆる種類の線をいう。切断線は、フランジブルライン、又はその他の態様の脆弱線、引裂線（ｔｅａｒ  ｌｉｎｅｓ）、カットライン、又はスリットであってよい。
【００４１】
ヒンジ式接続、切断線、及び折目線としては、それぞれ、ミシン目、ミシン線（ｌｉｎｅ  ｏｆ  ｐｅｒｆｏｒａｔｉｏｎｓ）、ショートスリットライン（ｌｉｎｅ  ｏｆ  ｓｈｏｒｔ  ｓｌｉｔｓ）、ハーフカッツライン（ｌｉｎｅ  ｏｆ  ｈａｌｆ−ｃｕｔｓ）、シングルハーフカットライン（ｓｉｎｇｌｅ  ｈａｌｆ−ｃｕｔ）、カットライン、インターラプテッドカットライン（ｉｎｔｅｒｒｕｐｔｅｄ  ｃｕｔ  ｌｉｎｅ）、スリット、スコア、及びこれらの任意の組み合わせ等、ブランクの基材に形成される要素が挙げられるということが理解されるべきである。これらの要素は、所望の機能が得られるように寸法付けされ、且つ、配置され得る。例えば、ミシン線は、折目線及び／又は切断線を画定する程度の脆弱性を有するように寸法付け、又は設計され得る。ミシン線は、容易に折り曲げられ且つ耐破断性を有するように、又は、容易に折り曲げられ且つより力を加えれば容易に破断されるように、又は、ほぼ力を加えずとも容易に破断されるように、設計され得る。
【符号の説明】
【００４２】
１  カートンブランク
２  壁部パネル
２Ａ  頂壁
２Ｂ、２Ｃ  側壁
２Ｄａ、２Ｄｂ  底部パネル
２Ｄａ／２Ｄｂ  底壁
７  管状構造体
８  端部開口
９  カートン
１０  物品保持構造体、物品保持構造体形成用セクション
１２  折り返しパネル
１４  下隅延長部
１５  カバーパネル
１７  カバー壁部
２１  タブ
２５  フィンガーフラップ
２９  開封タブ
３０  持ち上げ可能パネル部
３１  係止タブ
３５  係止開口部
３６  保持タブ
３７、３８  傾斜パネル部
３９  底部収容口
４１  ホールドタブ
【図１】
0003201108.tif 000003
【図２】
0003201108.tif 000004
【図３】
0003201108.tif 000005